(57)【要約】【課題】カラオケ装置において、カラオケ演奏が終了した際に、次のカラオケ演奏が始まるまでの曲間に対して適切な再生時間の映像コンテンツを選択可能とすること。【解決手段】制御部が、操作部が受け付けたカラオケ演奏曲の予約状況から曲間の長さを算出する。そして、制御部および映像制御部が、ＨＤＤが記憶する映像コンテンツをその再生時間と曲間の長さとの差分の絶対値が少ない順に並べ替え、その並び替えた映像コンテンツの一覧を表示部に提示させる。さらに、操作部が、表示部によって提示された映像コンテンツの一覧から利用者によって選択された特定の映像コンテンツを利用者による選択結果として受け付け可能であり、制御部および映像制御部が、操作部が受け付けた選択結果に対応する映像コンテンツをＨＤＤから読み出し、その読み出した映像コンテンツをカラオケ演奏が終了した際に再生する。【選択図】図４
2007093932.tif 000002
【特許請求の範囲】
【請求項１】
利用者によるカラオケ演奏曲の予約を受け付ける予約受付手段と、
一つ以上のカラオケ演奏曲を記憶する演奏曲記憶手段と、
前記予約受付手段が受け付けたカラオケ演奏曲を予約された順に前記演奏曲記憶手段から読み出してカラオケ演奏するカラオケ演奏手段と、
を備えるカラオケ装置であって、
前記カラオケ演奏手段によるカラオケ演奏が終了した際に再生するための映像コンテンツを一つ以上記憶する映像コンテンツ記憶手段と、
前記映像コンテンツ記憶手段が記憶する映像コンテンツの一覧を提示可能な提示手段と、
前記予約受付手段が受け付けたカラオケ演奏曲の予約状況から曲間の長さを算出する曲間長算出手段と、
前記映像コンテンツ記憶手段が記憶する映像コンテンツをその再生時間と前記曲間長算出手段によって算出された曲間の長さとの差分の絶対値が少ない順に並べ、その並べた映像コンテンツの一覧を前記提示手段に提示させる提示制御手段と、
前記提示手段によって提示された映像コンテンツの一覧から利用者によって選択された特定の映像コンテンツを利用者による選択結果として受け付け可能な選択受付手段と、
前記選択受付手段が受け付けた選択結果に対応する映像コンテンツを前記映像コンテンツ記憶手段から読み出し、その読み出した映像コンテンツをカラオケ演奏が終了してから次のカラオケ演奏が開始されるまでの間に再生する映像コンテンツ再生手段と、
を備えることを特徴とするカラオケ装置。
【請求項２】
請求項１に記載のカラオケ装置において、
前記映像コンテンツ再生手段によって再生中の映像コンテンツが有料コンテンツであるか否かを判断する有料コンテンツ判断手段を備え、
前記カラオケ演奏手段は、前記有料コンテンツ判断手段によって再生中の映像コンテンツが有料コンテンツであると判断され、前記有料コンテンツが再生終了以前に、次のカラオケ演奏曲が予約された場合には、前記映像コンテンツ再生手段によるその有料コンテンツの再生が終了した後に、次に演奏予定のカラオケ演奏曲を前記演奏曲記憶手段から読み出してカラオケ演奏すること
を特徴とするカラオケ装置。
【請求項３】
請求項１または請求項２に記載のカラオケ装置において、
前記映像コンテンツ再生手段によって再生中の映像コンテンツが無料コンテンツであるか否かを判断する無料コンテンツ判断手段と、
利用者の人数および歌唱中の利用者の好みのジャンルを示す情報を取得する利用者情報取得手段と、
を備え、
前記映像コンテンツ記憶手段は、ジャンルを示すジャンル情報を映像コンテンツごとに記憶しており、
前記提示制御手段は、前記無料コンテンツ判断手段によって再生中の映像コンテンツが無料コンテンツであると判断された場合には、前記映像コンテンツ記憶手段によって記憶された映像コンテンツごとのジャンル情報を参照して、利用者が単数のときには前記利用者情報取得手段によって取得された歌唱中の利用者の好みのジャンルに属する映像コンテンツのみで映像コンテンツの一覧を作成して前記提示手段に提示させ、利用者が複数のときには前記利用者情報取得手段によって取得された歌唱中の利用者の好みのジャンルに属する映像コンテンツを除いた映像コンテンツの一覧を作成して前記提示手段に提示させること
を特徴とするカラオケ装置。
【発明の詳細な説明】
【技術分野】
【０００１】
本発明は、カラオケ装置において、カラオケ演奏が終了した際に、次のカラオケ演奏が始まるまでの曲間に対して適切な再生時間の映像コンテンツを選択可能とする技術に関する。
【背景技術】
【０００２】
従来より、カラオケ演奏中以外の時間帯である曲間において自分の歌った姿を映したりするカラオケ装置が知られている（例えば、特許文献１参照。）。また、季節感があふれた背景映像や、カラオケを楽しんでいる時間帯にふさわしい背景映像などをカラオケ演奏中に楽しむことができるカラオケ装置が知られている（例えば、特許文献２参照。）。
【０００３】
さらに、このようなカラオケ装置の中には、カラオケ演奏とカラオケ演奏との間の曲間に、カラオケ以外の映像コンテンツを再生することが可能なものがある。一例を挙げると、映像コンテンツをその再生時間の短い順に並べておき、カラオケ演奏が終了した際には、次のカラオケ演奏が始まるまでの間に、その再生時間が短い映像コンテンツから順に再生するといった具合である。
【特許文献１】特開平１１−１５４８６号公報（第７頁、図１８）
【特許文献２】特開平１０−７８７８４号公報（第４頁、図２）
【発明の開示】
【発明が解決しようとする課題】
【０００４】
しかし、上述のようなカラオケ装置においては、例えば映像コンテンツをその再生時間の短い順に並べておいた場合には、次のような問題が考えられる。すなわち、（イ）映像コンテンツが曲間よりも長い場合には、映像コンテンツを曲間にすべて再生することができず、中途半端な映像コンテンツの再生結果となる問題がある。一例を挙げると、再生中の課金対象である映像コンテンツを、次のカラオケ演奏が始めるとの理由によって途中で再生中止とするといった具合である。（ロ）また、映像コンテンツが曲間よりも短い場合には、その映像コンテンツを再生し終えても、まだ次のカラオケ演奏が始まらず、次のカラオケ演奏が始まるまで何も映像が再生されない状況となる問題があった。
【０００５】
なお、曲間に再生できなかった映像コンテンツを次の曲間でも再生することも考えられるが、その曲間の長さによってはその映像コンテンツすべてが再生されない可能性もある。このような場合、例えば課金対象となる映像コンテンツのようなカラオケボックス側が利用者に見てもらいたいと考える映像コンテンツを、利用者になかなか見てもらえないという事態が生じる可能性がある。
【０００６】
本発明は、このような不具合に鑑みなされたものであり、その目的とするところは、カラオケ装置において、カラオケ演奏が終了した際に、次のカラオケ演奏が始まるまでの曲間に対して適切な再生時間の映像コンテンツを選択可能とする技術を提供することにある。
【課題を解決するための手段】
【０００７】
上記課題を解決するためになされた請求項１に係るカラオケ装置は、「次のカラオケ演奏が始まるまでの曲間の長さに近い順に、映像コンテンツを並べて提示すること」を特徴とする。
【０００８】
具体的には、上述のカラオケ装置（１：この欄においては、発明に対する理解を容易にするため、必要に応じて「発明を実施するための最良の形態」欄で用いた符号を付すが、この符号によって請求の範囲を限定することを意味するものではない。）は、予約受付手段（１２，１８）が、利用者によるカラオケ演奏曲の予約を受け付け可能であり、演奏曲記憶手段（１６）が、一つ以上のカラオケ演奏曲を記憶する。カラオケ演奏手段（２４）が、予約受付手段が受け付けたカラオケ演奏曲を予約された順に演奏曲記憶手段から読み出してカラオケ演奏する。
【０００９】
また、映像コンテンツ記憶手段（１６）が、カラオケ演奏手段によるカラオケ演奏が終了した際に再生するための映像コンテンツを一つ以上記憶している。曲間長算出手段（１２）が、予約受付手段が受け付けたカラオケ演奏曲の予約状況から曲間の長さを算出する。そして、提示制御手段（１２，３８）が、映像コンテンツ記憶手段が記憶する映像コンテンツをその再生時間と曲間長算出手段によって算出された曲間の長さとの差分の絶対値が少ない順に並べ替え、その並び替えた映像コンテンツの一覧を提示手段（３６）に提示させる。
【００１０】
さらに、選択受付手段（１２，１８）が、提示手段によって提示された映像コンテンツの一覧から利用者によって選択された特定の映像コンテンツを利用者による選択結果として受け付け可能であり、映像コンテンツ再生手段（１２，３８）が、選択受付手段が受け付けた選択結果に対応する映像コンテンツを映像コンテンツ記憶手段から読み出し、その読み出した映像コンテンツをカラオケ演奏が終了した際に再生する。
【００１１】
このように構成された本発明によれば、カラオケ装置において、次のカラオケ演奏が始まるまでの曲間の長さに近い順に映像コンテンツを並べて提示することができ、次のカラオケ演奏が始まるまでの曲間に対して適切な再生時間の映像コンテンツを利用者に選択可能とすることができる。
【００１２】
なお、上述の「曲間の長さ」とは、利用者もしくは利用者グループにおける曲間の長さの平均値や最大値、最小値から推測されることが考えられる。また、次のカラオケ演奏曲が予約されていない場合には、予め定められた所定時間を曲間の長さとすることが考えられる。
【００１３】
ところで、再生中の映像コンテンツが課金を必要とするコンテンツサービスであり、その再生時間が曲間の長さよりも長い場合には、その課金を必要とするコンテンツサービスを途中で止めさせるような状況になるおそれがある。
【００１４】
そこで、再生中の映像コンテンツが有料コンテンツである場合には、次のカラオケ演奏曲の演奏開始が若干遅くなっても、その映像コンテンツの再生が終了後にカラオケ演奏に移行するようにすることが考えられる。具体的には、請求項２のように、映像コンテンツ再生手段によって再生中の映像コンテンツが有料コンテンツであるか否かを判断する有料コンテンツ判断手段を備え、上述の有料コンテンツ判断手段によって再生中の映像コンテンツが有料コンテンツであると判断され、有料コンテンツが再生終了以前に、次のカラオケ演奏曲が予約された場合には、カラオケ演奏手段が、映像コンテンツ再生手段によるその有料コンテンツの再生が終了した後に、次に演奏予定のカラオケ演奏曲を前記演奏曲記憶手段から読み出してカラオケ演奏することが考えられる。
【００１５】
このようにすれば、次のカラオケ演奏曲の演奏開始が若干遅くなっても、課金を必要とするコンテンツサービスを途中で止めさせるような状況になることを防ぐことによって利用者の満足度を上げることができ、ひいては有料コンテンツの利用率を向上させることが期待できる。
【００１６】
ところで、再生中の映像コンテンツが課金を必要としないコンテンツサービスである場合には、利用者の好みのジャンルに応じて映像コンテンツの一覧を提示することが考えられる。具体的には、請求項３のように、映像コンテンツ再生手段によって再生中の映像コンテンツが無料コンテンツであるか否かを判断する無料コンテンツ判断手段と、利用者の人数および歌唱中の利用者の好みのジャンルを示す情報を取得する利用者情報取得手段と、を備え、映像コンテンツ記憶手段が、ジャンルを示すジャンル情報を映像コンテンツごとに記憶しており、無料コンテンツ判断手段によって再生中の映像コンテンツが無料コンテンツであると判断された場合には、提示制御手段が、映像コンテンツ記憶手段によって記憶された映像コンテンツごとのジャンル情報を参照して、次の（Ａ）・（Ｂ）のような提示制御を行うことが考えられる。
【００１７】
（Ａ）利用者が単数のときには、利用者情報取得手段によって取得された歌唱中の利用者の好みのジャンルに属する映像コンテンツのみで映像コンテンツの一覧を作成して提示手段に提示させる。このようにすれば、利用者の好みのジャンルの映像コンテンツのみを利用者に提示することで、その利用者の満足度を向上させることが期待できる。
【００１８】
（Ｂ）利用者が複数のときには、利用者情報取得手段によって取得された歌唱中の利用者の好みのジャンルに属する映像コンテンツを除いた映像コンテンツの一覧を作成して提示手段に提示させる。このようにすれば、利用者の好みのジャンルの映像コンテンツを除外した映像コンテンツを複数の利用者に提示することで、他の利用者が好みのジャンルの映像コンテンツを選択しやすくすることができ、その他の利用者の満足度を向上させることが期待できる。
【発明を実施するための最良の形態】
【００１９】
以下に本発明の実施形態を図面とともに説明する。
図１は、カラオケシステムの全体構成を示すブロック図である。
［第一実施形態］
カラオケシステムは、図１に示すように、カラオケ装置１とリモコン端末２とがデータ通信可能に構成されたものである。
【００２０】
［カラオケ装置１の構成の説明］
カラオケ装置１は、図１に示すように、カラオケ装置１全体の動作を制御する制御部１２、カラオケ装置１をネットワーク１００に接続するためのインタフェース部１４、演奏楽曲の伴奏内容および歌詞を示す楽曲データや映像データなどを記憶するハードディスク（ＨＤＤ）１６、複数のキー・スイッチからなる操作部１８、リモコン端末２からの赤外線信号を赤外線通信によって受信するための赤外線通信部２０、操作部１８からの信号を処理する操作処理部２２、ハードディスク１６に記憶された楽曲データから演奏楽曲のオーディオ信号（音響，音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示部３６での表示を制御する映像制御部３８、外部のフェリカ（商標）機能付き携帯電話機１５０などと通信可能なフェリカ（商標）内蔵の受信機４２、などを備えている。また、制御部１２と音声制御部とはＵＳＢ４０によって接続されている。また、制御部１２は、後述する各種処理を実行する。
【００２１】
このうちＨＤＤ１６は、楽曲データおよび有料コンテンツを記憶する。ここで楽曲データとは、図８（ａ）に例示するように、カラオケ演奏を行うための「演奏データ」と、「背景映像」と、歌詞データ（歌詞テロップ）と、ジャンルの種別を示す「ジャンル情報」とから構成される。なお、従来の通信カラオケの楽曲データの構造のように、演奏データ、歌詞データおよびジャンル情報を第１のデータとし、背景映像およびジャンル情報を第２のデータとして楽曲データが構成される場合もある。この楽曲データは予め所定の契約を結ぶことで再生することができる。一方、有料コンテンツは、その再生にライセンス契約を要する楽曲データなどのコンテンツのことを云い、図８（ｂ）に例示するように、「音声データ」と、「映像データ」と、コンテンツ名を示す「コンテンツ名情報」と、「時間情報」と、ジャンルの種別を示す「ジャンル情報」と、有料または無料の種別を示す「有料／無料情報」とから構成される。なお、ここで「コンテンツ」とは、カラオケ演奏を行っていない際に、再生するための映画やＣＭ、アニメなどの映像を云う。また、「背景映像」とは、カラオケ演奏時に使用するカラオケ楽曲に対応した映像を云う。
【００２２】
また、ＨＤＤ１６は、図４（ａ）に例示するようなコンテンツメニューを記憶する。このコンテンツメニューでは、映像コンテンツをその再生時間が長い順に並べられている。
一方、制御部１２は、図１に示すように、ユーザ側から通知された演奏楽曲に対応する楽曲データをＨＤＤ１６から読み出してカラオケ演奏をする際に、楽曲データ中の少なくとも歌詞データをリモコン端末２へ無線アクセスポイント１１０を介して送信させる機能を有する。また、制御部１２は、歌詞データで示される歌詞を文字データに基づいて表示部３６に表示させる機能を有する。また、制御部１２はタイマを内蔵している。
【００２３】
また、制御部１２は、利用者が操作部１８を介して入力した利用者の人数、および利用者が操作部１８を介して選択したカラオケ演奏曲のうち最も多く選択されたジャンルを、利用者の人数および利用者の好みのジャンルを示す利用者情報として取得してＨＤＤ１６などに記憶させる機能を有する。
【００２４】
なお、制御部１２は曲間長算出手段および利用者情報取得手段に該当する。また、制御部１２は、操作部１８ともに予約受付手段および選択受付手段に該当する。また、制御部１２は、映像制御部３８ともに提示制御手段および映像コンテンツ再生手段に該当する。また、ＨＤＤ１６は演奏曲記憶手段および映像コンテンツ記憶手段に該当する。また、音声制御部２４はカラオケ演奏手段に該当する。また、表示部３６は提示手段に該当する。
【００２５】
［リモコン端末２の構成の説明］
リモコン端末２は、図１に示すように、リモコン端末２全体の動作を制御する制御部５２、カラオケ装置１に赤外線信号を赤外線通信規格（ＩｒＤＡ）に従って送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク１００に接続された無線アクセスポイント１１０との間で無線ＬＡＮ通信を行うための無線ＬＡＮ通信部６８、ＵＳＢ制御部７０などを備えている。
【００２６】
［その他の構成の説明］
また、上述のネットワーク１００には、無線アクセスポイント１１０とともに、リモコン端末２を載置可能なクレードル１２０が接続されている。このクレードル１２０は、載置されたリモコン端末２のＵＳＢ制御部７０と通信可能なＵＳＢ／ＬＡＮ変換機１２５を内蔵しており、このクレードル１２０に載置されたリモコン端末２は、ネットワーク１００を介してカラオケ装置１との間でデータ通信を行うことができる。
【００２７】
［カラオケ選曲・演奏処理の説明］
以下に、カラオケ装置１の制御部１２が実行するカラオケ選曲・演奏処理の処理手順を図２のフローチャート、図３（ｂ）および図４に基づいて説明する。なお、図４（ａ）はコンテンツメニュー（１）であり、図４（ｂ）はコンテンツメニュー（２）であり、図４（ｃ）はコンテンツメニュー（３）である。
【００２８】
このカラオケ選曲・演奏処理は、カラオケ装置１が起動している間に繰り返し実行される。
まず、カラオケ装置１の電源がオンであるか否かを判断する（Ｓ１００）。カラオケ装置１の電源がオンではないと判断された場合には（Ｓ１００：ＮＯ）、カラオケ装置１の電源がオンであると判断されるまで待機し、カラオケ装置１の電源がオンであると判断された場合には（Ｓ１００：ＹＥＳ）、タイマの初期化を行う（Ｓ１０２）。
【００２９】
続いて、選曲が終了したか否かを判断する（Ｓ１０４）。選曲が終了していないと判断された場合には（Ｓ１０４：ＮＯ）、選曲が終了していると判断されるまで待機し、選曲が終了していると判断された場合には（Ｓ１０４：ＹＥＳ）、タイマ値を制御部１２が内蔵する図示しないＲＡＭへ格納する（Ｓ１０６）。
【００３０】
次に、カラオケ演奏を開始する（Ｓ１０８）。具体的には、利用者によって選曲された曲に対応する曲データをＨＤＤ１６から読み出して音声制御部２４へ転送する（Ｓ１１０）。また、再生する背景映像を選択してＨＤＤ１６から読み出し、その読み出した背景映像と歌詞テロップとを再生する（Ｓ１１２、Ｓ１１４）。なお、背景映像を選択する処理については後述する。上述の背景映像の再生および歌詞テロップの再生が終了したら、先にＨＤＤ１６から読み出して音声制御部２４へ転送した演奏データを音声制御部２４にて再生させる（Ｓ１１６）。
【００３１】
続いて、演奏データの再生が終了したか否かを判断する（Ｓ１１８）。演奏データの再生が終了していないと判断された場合には（Ｓ１１８：ＮＯ）、演奏データの再生が終了したと判断されるまで待機し、演奏データの再生が終了したと判断された場合には（Ｓ１１８：ＹＥＳ）、カラオケ装置１の電源がオフであるか否かを判断する（Ｓ１２０）。カラオケ装置１の電源がオフではなくオンであると判断された場合には（Ｓ１２０：ＮＯ）、Ｓ１０２に移行してＳ１０２以降の各ステップを繰り返し実行する。一方、カラオケ装置１の電源がオフであると判断された場合には（Ｓ１２０：ＹＥＳ）、本処理を終了する。
【００３２】
［推測値算出処理の説明］
以下に、カラオケ装置１の制御部１２が実行する推測値算出処理の処理手順を図３のフローチャートおよび図４に基づいて説明する。なお、図３（ｂ）は推測値算出処理を説明する説明図である。また、図４（ａ）はコンテンツメニュー（１）であり、図４（ｂ）はコンテンツメニュー（２）であり、図４（ｃ）はコンテンツメニュー（３）である。
【００３３】
この推測値算出処理は、カラオケ選曲・演奏処理におけるステップＳ１０４にて利用者による選曲が終了したと判断され、その後ステップＳ１０６にてタイマ値が制御部１２の内部のＲＡＭに格納された場合に実行される。
【００３４】
まず、先のカラオケ選曲・演奏処理にて制御部１２のＲＡＭに格納したタイマ値を読み出す（Ｓ２００）。
続いて、読み出したタイマ値の平均値を算出する。具体的には、読み出したタイマ値を加算し（Ｓ２０２）、加算したタイマ値の数量で加算した値を除算する（Ｓ２０４）。一例を挙げると、読み出したタイマ値が「３０分」、「２５分」、「４５分」、「１２分」である場合には、それら読み出したタイマ値を加算すると「１１２分」となる。次に、タイマ値の数量である数値「４」で、加算した値である数値「１１２」を除算する。すると、数値「２８」を得る。しがたって、タイマ値の平均値は「２８分」となる（図３（ｂ）参照）。さらに、算出した平均値を制御部１２のＲＡＭに格納するとともに、図４（ａ）に例示するような映像コンテンツがその再生時間が長い順に並べられたコンテンツメニューに推測値に関する項目を挿入する（図４（ｂ）参照）。なお、上述の推測値からの差分の絶対値が小さい映像コンテンツから順に並べてもよい（図４（ｃ）参照）。そして、本処理を終了する。
【００３５】
［コンテンツ再生処理の説明］
以下に、カラオケ装置１の制御部１２が実行するコンテンツ再生処理の処理手順を図５のフローチャートに基づいて説明する。
【００３６】
このコンテンツ再生処理は、カラオケ選曲・演奏処理におけるステップＳ１１０にて利用者によって選曲された曲に対応する曲データをＨＤＤ１６から読み出した後に、再生する背景映像を選択するために実行される。
【００３７】
まず、次のリクエスト曲があるか否かを判断する（Ｓ３０２）。次のリクエスト曲がないと判断された場合には（Ｓ３０２）、コンテンツ再生が終了したか否かを判断する（Ｓ３０４）。コンテンツ再生が終了していないと判断された場合には（Ｓ３０４：ＮＯ）、Ｓ３０２に移行し、一方、コンテンツ再生が終了したと判断された場合には（Ｓ３０４：ＹＥＳ）、次のリクエスト曲が有料コンテンツであるか否かを判断する（Ｓ３０６）。次のリクエスト曲が有料コンテンツではないと判断された場合には（Ｓ３０６：ＮＯ）、そのまま本処理を終了する。
【００３８】
一方、次のリクエスト曲が有料コンテンツであると判断された場合には（Ｓ３０６：ＹＥＳ）、コンテンツ再生が終了したか否かを判断する（Ｓ３０８）。コンテンツ再生が終了していないと判断された場合には（Ｓ３０８：ＮＯ）、コンテンツ再生が終了したと判断されるまで待機し、コンテンツ再生が終了したと判断された場合には（Ｓ３０８：ＹＥＳ）、本処理を終了する。
【００３９】
［並べ替え処理の説明］
以下に、カラオケ装置１の制御部１２が実行する並べ替え処理の処理手順を図６のフローチャートおよび図７に基づいて説明する。なお、図７（ａ）はコンテンツメニュー（４）であり、図７（ｂ）はコンテンツメニュー（５）である。
【００４０】
この並べ替え処理は、カラオケ装置１が起動している間に繰り返し実行される。
まず、カラオケ演奏が終了したか否かを判断する（Ｓ４００）。カラオケ演奏が終了していないと判断された場合には（Ｓ４００：ＮＯ）、カラオケ演奏が終了したと判断されるまで待機し、カラオケ演奏が終了したと判断された場合には（Ｓ４００：ＹＥＳ）、カラオケボックスの利用者が複数人存在するか否かを判断する（Ｓ４０２）。
【００４１】
カラオケボックスの利用者が複数人存在しないと判断された場合には（Ｓ４０２：ＮＯ）、カラオケボックスの利用者が単数人として、特定の利用者の好みのジャンルのコンテンツをコンテンツメニューに入れる（Ｓ４０４）。この場合、上述の推測値からの差分の絶対値が小さい映像コンテンツから順に並べたコンテンツメニューを作成する（図７（ａ）参照）。そして、そのコンテンツメニューを表示部３６に表示させる（Ｓ４０８）。そして、本処理を終了する。
【００４２】
一方、カラオケボックスの利用者が複数人存在すると判断された場合には（Ｓ４０２：ＹＥＳ）、特定の利用者の好みのジャンルのコンテンツをメニューから削除する（Ｓ４０６）。この場合、上述の推測値からの差分の絶対値が小さい映像コンテンツから順に並べたコンテンツメニューを作成する（図７（ｂ）参照）。そして、そのコンテンツメニューを表示部３６に表示させる（Ｓ４０８）。そして、本処理を終了する。
【００４３】
［効果］
（１）このように第一実施形態のカラオケ装置１によれば、次のような効果を奏する。すなわち、制御部１２が、操作部１８が受け付けたカラオケ演奏曲の予約状況から曲間の長さを算出する。そして、制御部１２および映像制御部３８が、ＨＤＤ１６が記憶する映像コンテンツをその再生時間と曲間の長さとの差分の絶対値が少ない順に並べ替え、その並び替えた映像コンテンツの一覧を表示部３６に提示させる。さらに、操作部１８が、表示部３６によって提示された映像コンテンツの一覧から利用者によって選択された特定の映像コンテンツを利用者による選択結果として受け付け可能であり、制御部１２および映像制御部３８が、操作部１８が受け付けた選択結果に対応する映像コンテンツをＨＤＤ１６から読み出し、その読み出した映像コンテンツをカラオケ演奏が終了した際に再生する。このことにより、次のカラオケ演奏が始まるまでの曲間の長さに近い順に映像コンテンツを並べて提示することができ、次のカラオケ演奏が始まるまでの曲間に対して適切な再生時間の映像コンテンツを利用者に選択可能とすることができる。
【００４４】
（２）また、第一実施形態のカラオケ装置１によれば、再生中の映像コンテンツが有料コンテンツである場合には、次のカラオケ演奏曲の演奏開始が若干遅くなっても、その映像コンテンツの再生が終了後にカラオケ演奏に移行する。このことにより、次のカラオケ演奏曲の演奏開始が若干遅くなっても、課金を必要とするコンテンツサービスを途中で止めさせるような状況になることを防ぐことによって利用者の満足度を上げることができ、ひいては有料コンテンツの利用率を向上させることが期待できる。
【００４５】
（３）また、第一実施形態のカラオケ装置１によれば、再生中の映像コンテンツが無料コンテンツであると判断された場合には、映像コンテンツごとのジャンル情報を参照して、次の（Ａ）・（Ｂ）のような提示制御を行うことが考えられる。
【００４６】
（Ａ）利用者が単数のときには、歌唱中の利用者の好みのジャンルに属する映像コンテンツのみで映像コンテンツの一覧を作成して表示部３６に提示させる。このようにすれば、利用者の好みのジャンルの映像コンテンツのみを利用者に提示することで、その利用者の満足度を向上させることが期待できる。
【００４７】
（Ｂ）利用者が複数のときには、歌唱中の利用者の好みのジャンルに属する映像コンテンツを除いた映像コンテンツの一覧を作成して表示部３６に提示させる。このようにすれば、利用者の好みのジャンルの映像コンテンツを除外した映像コンテンツを複数の利用者に提示することで、他の利用者が好みのジャンルの映像コンテンツを選択しやすくすることができ、その他の利用者の満足度を向上させることが期待できる。
【００４８】
［他の実施形態］
以上、本発明の一実施形態について説明したが、本発明は上記実施形態に限定されるものではなく、以下のような様々な態様にて実施することが可能である。
【００４９】
（１）上記実施形態では、利用者もしくは利用者グループにおける曲間の長さの平均値を「曲間の長さ」としているが、これには限られず、利用者もしくは利用者グループにおける曲間の長さの最大値や最小値を「曲間の長さ」としてもよい。このようにしても上記実施形態と同様の作用効果を奏することができる。
【００５０】
（２）上記実施形態では、次のカラオケ演奏曲が予約されている場合において、カラオケ演奏が終了してから次のカラオケ演奏が始まるまでの間を曲間としているが、これには限られず、次のカラオケ演奏曲が予約されていない場合には、予め定められた所定時間を曲間の長さとしてもよい。このようにしても上記実施形態と同様の作用効果を奏することができる。
【００５１】
（３）上記実施形態では、操作部１８からの入力信号を利用者からの指示として処理しているが、これには限られず、携帯電話機などから受信機４２を介して入力された入力信号を利用者からの指示として処理してもよい。また、リモコン端末２の操作部６０からの入力信号を利用者からの指示として処理してもよい。
【００５２】
（４）上記第一実施形態では、制御部１２が、利用者が操作部１８を介して入力した利用者の人数、および利用者が操作部１８を介して選択したカラオケ演奏曲のうち最も多く選択されたジャンルを、利用者の人数および利用者の好みのジャンルを示す利用者情報として取得する機能を有するが、これには限られず、利用者が操作部１８を介して入力した利用者の人数、および利用者が操作部１８を介して入力した利用者自身の好みのジャンルを、利用者の人数および利用者の好みのジャンルを示す利用者情報として取得してＨＤＤ１６などに記憶させるようにしてもよい。このように構成しても上記実施形態と同様の作用効果を奏する。
【００５３】
（５）また、利用者がリモコン端末２の操作部６０を介して入力した利用者の人数、および利用者がリモコン端末２の操作部６０を介して入力した利用者自身の好みのジャンルを、利用者の人数および利用者の好みのジャンルを示す利用者情報としてリモコン端末２の制御部５２がカラオケ装置１へ送信し、その送信された利用者情報をカラオケ装置１の制御部１２がインタフェース部１４を介して取得してＨＤＤ１６などに記憶させるようにしてもよい。このように構成しても上記実施形態と同様の作用効果を奏する。
【００５４】
（６）また、カラオケ演奏曲数が少ない場合には、利用者の好みのジャンルが特定できない場合もある。そこで、上述の携帯電話１５０に利用者の好みのジャンルを登録しておき、カラオケボックスを利用する際に、携帯電話１５０がその利用者の好みのジャンルを示す情報をカラオケ装置１に対して送信し、その送信された利用者情報をカラオケ装置１の制御部１２がインタフェース部１４を介して取得してＨＤＤ１６などに記憶させるようにしてもよい。また、制御部１２が、携帯電話１５０から送信された利用者情報と、カラオケ装置１のＨＤＤ１６などに記憶させておいた利用者情報とを参照して、利用者の好みのジャンルを特定するようにしてもよい。
【００５５】
なお、上述のように携帯電話１５０に利用者の好みのジャンルを登録しておく手法としては、一例をして次のようなものが考えられる。
（６−１）利用者によるキー操作に基づき、携帯電話１５０が内蔵するＲＡＭに利用者の好みのジャンルを登録しておくことが考えられる。
【００５６】
（６−２）また、カラオケ装置１の制御部１２が、利用者のカラオケ演奏履歴をインターネット網などの通信網を介して携帯電話１５０に送信し、携帯電話１５０ではその利用者のカラオケ演奏履歴を内部のＲＡＭなどに登録しておくことが考えられる。
【００５７】
（６−３）また、カラオケ装置１の制御部１２が、利用者のカラオケ演奏履歴をＱＲコード（商標）化して表示部３６などに表示し、その表示されたＱＲコード（商標）を携帯電話１５０がカメラを介して取得して内部のＲＡＭなどに記憶することが考えられる。
【００５８】
このようにすれば、カラオケ演奏曲数が少なく、利用者の好みのジャンルが特定しにくい場合であっても、より正確に利用者の好みのジャンルを特定することができる。
【図面の簡単な説明】
【００５９】
【図１】カラオケシステムの全体構成を示すブロック図である。
【図２】カラオケ装置の制御部が実行するカラオケ選曲・演奏処理を示すフローチャートである。
【図３】（ａ）はカラオケ装置の制御部が実行する推測値算出処理を示すフローチャートであり、（ｂ）は推測値算出処理を説明する説明図である。
【図４】（ａ）はコンテンツメニュー（１）であり、（ｂ）はコンテンツメニュー（２）であり、（ｃ）はコンテンツメニュー（３）である。
【図５】カラオケ装置の制御部が実行するコンテンツ再生処理を示すフローチャートである。
【図６】カラオケ装置の制御部が実行する並べ替え処理を示すフローチャートである。
【図７】（ａ）はコンテンツメニュー（４）であり、（ｂ）はコンテンツメニュー（５）である。
【図８】（ａ）は楽曲データのデータ構造を示す説明図であり、（ｂ）はコンテンツデータのデータ構造を示す説明図である。
【符号の説明】
【００６０】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…表示部、３８…映像制御部、４０…ＵＳＢ、４２…受信機、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、７０…ＵＳＢ制御部、１２０…クレードル、１２５…ＵＳＢ／ＬＡＮ変換機、１５０…携帯電話機
【図１】
2007093932.tif 000003
【図２】
2007093932.tif 000004
【図３】
2007093932.tif 000005
【図４】
2007093932.tif 000006
【図５】
2007093932.tif 000007
【図６】
2007093932.tif 000008
【図７】
2007093932.tif 000009
【図８】
2007093932.tif 000010
【手続補正書】
【提出日】平成17年10月4日(2005.10.4)
【手続補正１】
【補正対象書類名】明細書
【補正対象項目名】全文
【補正方法】変更
【補正の内容】
【発明の詳細な説明】
【技術分野】
【０００１】
本発明は、カラオケ装置において、カラオケ演奏が終了した際に、次のカラオケ演奏が始まるまでの曲間に対して適切な再生時間の映像コンテンツを選択可能とする技術に関する。
【背景技術】
【０００２】
従来より、カラオケ演奏中以外の時間帯である曲間において自分の歌った姿を映したりするカラオケ装置が知られている（例えば、特許文献１参照。）。また、季節感があふれた背景映像や、カラオケを楽しんでいる時間帯にふさわしい背景映像などをカラオケ演奏中に楽しむことができるカラオケ装置が知られている（例えば、特許文献２参照。）。
【０００３】
さらに、このようなカラオケ装置の中には、カラオケ演奏とカラオケ演奏との間の曲間に、カラオケ以外の映像コンテンツを再生することが可能なものがある。一例を挙げると、映像コンテンツをその再生時間の短い順に並べておき、カラオケ演奏が終了した際には、次のカラオケ演奏が始まるまでの間に、その再生時間が短い映像コンテンツから順に再生するといった具合である。
【特許文献１】特開平１１−１５４８６号公報（第７頁、図１８）
【特許文献２】特開平１０−７８７８４号公報（第４頁、図２）
【発明の開示】
【発明が解決しようとする課題】
【０００４】
しかし、上述のようなカラオケ装置においては、例えば映像コンテンツをその再生時間の短い順に並べておいた場合には、次のような問題が考えられる。すなわち、（イ）映像コンテンツが曲間よりも長い場合には、映像コンテンツを曲間にすべて再生することができず、中途半端な映像コンテンツの再生結果となる問題がある。一例を挙げると、再生中の課金対象である映像コンテンツを、次のカラオケ演奏が始めるとの理由によって途中で再生中止とするといった具合である。（ロ）また、映像コンテンツが曲間よりも短い場合には、その映像コンテンツを再生し終えても、まだ次のカラオケ演奏が始まらず、次のカラオケ演奏が始まるまで何も映像が再生されない状況となる問題があった。
【０００５】
なお、曲間に再生できなかった映像コンテンツを次の曲間でも再生することも考えられるが、その曲間の長さによってはその映像コンテンツすべてが再生されない可能性もある。このような場合、例えば課金対象となる映像コンテンツのようなカラオケボックス側が利用者に見てもらいたいと考える映像コンテンツを、利用者になかなか見てもらえないという事態が生じる可能性がある。
【０００６】
本発明は、このような不具合に鑑みなされたものであり、その目的とするところは、カラオケ装置において、カラオケ演奏が終了した際に、次のカラオケ演奏が始まるまでの曲間に対して適切な再生時間の映像コンテンツを選択可能とする技術を提供することにある。
【課題を解決するための手段】
【０００７】
上記課題を解決するためになされた請求項１に係るカラオケ装置は、「次のカラオケ演奏が始まるまでの曲間の長さに近い順に、映像コンテンツを並べて提示すること」を特徴とする。
【０００８】
具体的には、上述のカラオケ装置（１：この欄においては、発明に対する理解を容易に
するため、必要に応じて「発明を実施するための最良の形態」欄で用いた符号を付すが、この符号によって請求の範囲を限定することを意味するものではない。）は、予約受付手段（１２，１８）が、利用者によるカラオケ演奏曲の予約を受け付け可能であり、演奏曲記憶手段（１６）が、一つ以上のカラオケ演奏曲を記憶する。カラオケ演奏手段（２４）が、予約受付手段が受け付けたカラオケ演奏曲を予約された順に演奏曲記憶手段から読み出してカラオケ演奏する。
【０００９】
また、映像コンテンツ記憶手段（１６）が、カラオケ演奏手段によるカラオケ演奏が終了した際に再生するための映像コンテンツを一つ以上記憶している。曲間長算出手段（１２）が、予約受付手段が受け付けたカラオケ演奏曲の予約状況から曲間の長さを算出する。そして、提示制御手段（１２，３８）が、映像コンテンツ記憶手段が記憶する映像コンテンツをその再生時間と曲間長算出手段によって算出された曲間の長さとの差分の絶対値が少ない順に並べ替え、その並び替えた映像コンテンツの一覧を提示手段（３６）に提示させる。
【００１０】
さらに、選択受付手段（１２，１８）が、提示手段によって提示された映像コンテンツの一覧から利用者によって選択された特定の映像コンテンツを利用者による選択結果として受け付け可能であり、映像コンテンツ再生手段（１２，３８）が、選択受付手段が受け付けた選択結果に対応する映像コンテンツを映像コンテンツ記憶手段から読み出し、その読み出した映像コンテンツをカラオケ演奏が終了した際に再生する。
【００１１】
このように構成された本発明によれば、カラオケ装置において、次のカラオケ演奏が始まるまでの曲間の長さに近い順に映像コンテンツを並べて提示することができ、次のカラオケ演奏が始まるまでの曲間に対して適切な再生時間の映像コンテンツを利用者に選択可能とすることができる。
【００１２】
なお、上述の「曲間の長さ」とは、利用者もしくは利用者グループにおける曲間の長さの平均値や最大値、最小値から推測されることが考えられる。また、次のカラオケ演奏曲が予約されていない場合には、予め定められた所定時間を曲間の長さとすることが考えられる。
【００１３】
ところで、再生中の映像コンテンツが課金を必要とするコンテンツサービスであり、その再生時間が曲間の長さよりも長い場合には、その課金を必要とするコンテンツサービスを途中で止めさせるような状況になるおそれがある。
【００１４】
そこで、再生中の映像コンテンツが有料コンテンツである場合には、次のカラオケ演奏曲の演奏開始が若干遅くなっても、その映像コンテンツの再生が終了後にカラオケ演奏に移行するようにすることが考えられる。具体的には、請求項２のように、映像コンテンツ再生手段によって再生中の映像コンテンツが有料コンテンツであるか否かを判断する有料コンテンツ判断手段を備え、上述の有料コンテンツ判断手段によって再生中の映像コンテンツが有料コンテンツであると判断され、有料コンテンツが再生終了以前に、次のカラオケ演奏曲が予約された場合には、カラオケ演奏手段が、映像コンテンツ再生手段によるその有料コンテンツの再生が終了した後に、次に演奏予定のカラオケ演奏曲を前記演奏曲記憶手段から読み出してカラオケ演奏することが考えられる。
【００１５】
このようにすれば、次のカラオケ演奏曲の演奏開始が若干遅くなっても、課金を必要とするコンテンツサービスを途中で止めさせるような状況になることを防ぐことによって利用者の満足度を上げることができ、ひいては有料コンテンツの利用率を向上させることが期待できる。
【００１６】
ところで、再生中の映像コンテンツが課金を必要としないコンテンツサービスである場合には、利用者の好みのジャンルに応じて映像コンテンツの一覧を提示することが考えられる。具体的には、請求項３のように、映像コンテンツ再生手段によって再生中の映像コンテンツが無料コンテンツであるか否かを判断する無料コンテンツ判断手段と、利用者の人数および歌唱中の利用者の好みのジャンルを示す情報を取得する利用者情報取得手段と、を備え、映像コンテンツ記憶手段が、ジャンルを示すジャンル情報を映像コンテンツごとに記憶しており、無料コンテンツ判断手段によって再生中の映像コンテンツが無料コンテンツであると判断された場合には、提示制御手段が、映像コンテンツ記憶手段によって記憶された映像コンテンツごとのジャンル情報を参照して、次の（Ａ）・（Ｂ）のような提示制御を行うことが考えられる。
【００１７】
（Ａ）利用者が単数のときには、利用者情報取得手段によって取得された歌唱中の利用者の好みのジャンルに属する映像コンテンツのみで映像コンテンツの一覧を作成して提示手段に提示させる。このようにすれば、利用者の好みのジャンルの映像コンテンツのみを利用者に提示することで、その利用者の満足度を向上させることが期待できる。
【００１８】
（Ｂ）利用者が複数のときには、利用者情報取得手段によって取得された歌唱中の利用者の好みのジャンルに属する映像コンテンツを除いた映像コンテンツの一覧を作成して提示手段に提示させる。このようにすれば、利用者の好みのジャンルの映像コンテンツを除外した映像コンテンツを複数の利用者に提示することで、他の利用者が好みのジャンルの映像コンテンツを選択しやすくすることができ、その他の利用者の満足度を向上させることが期待できる。
【発明を実施するための最良の形態】
【００１９】
以下に本発明の実施形態を図面とともに説明する。
図１は、カラオケシステムの全体構成を示すブロック図である。
［第一実施形態］
カラオケシステムは、図１に示すように、カラオケ装置１とリモコン端末２とがデータ通信可能に構成されたものである。
【００２０】
［カラオケ装置１の構成の説明］
カラオケ装置１は、図１に示すように、カラオケ装置１全体の動作を制御する制御部１２、カラオケ装置１をネットワーク１００に接続するためのインタフェース部１４、演奏楽曲の伴奏内容および歌詞を示す楽曲データや映像データなどを記憶するハードディスク（ＨＤＤ）１６、複数のキー・スイッチからなる操作部１８、リモコン端末２からの赤外線信号を赤外線通信によって受信するための赤外線通信部２０、操作部１８からの信号を処理する操作処理部２２、ハードディスク１６に記憶された楽曲データから演奏楽曲のオーディオ信号（音響，音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像の表示部３６での表示を制御する映像制御部３８、外部のフェリカ（商標）機能付き携帯電話機１５０などと通信可能なフェリカ（商標）内蔵の受信機４２、などを備えている。また、制御部１２と音声制御部とはＵＳＢ４０によって接続されている。また、制御部１２は、後述する各種処理を実行する。
【００２１】
このうちＨＤＤ１６は、楽曲データおよび有料コンテンツを記憶する。ここで楽曲データとは、図８（ａ）に例示するように、カラオケ演奏を行うための「演奏データ」と、「背景映像」と、歌詞データ（歌詞テロップ）と、ジャンルの種別を示す「ジャンル情報」とから構成される。なお、従来の通信カラオケの楽曲データの構造のように、演奏データ
、歌詞データおよびジャンル情報を第１のデータとし、背景映像およびジャンル情報を第２のデータとして楽曲データが構成される場合もある。この楽曲データは予め所定の契約を結ぶことで再生することができる。一方、有料コンテンツは、その再生にライセンス契約を要する楽曲データなどのコンテンツのことを云い、図８（ｂ）に例示するように、「音声データ」と、「映像データ」と、コンテンツ名を示す「コンテンツ名情報」と、「時間情報」と、ジャンルの種別を示す「ジャンル情報」と、有料または無料の種別を示す「有料／無料情報」とから構成される。なお、ここで「コンテンツ」とは、カラオケ演奏を行っていない際に、再生するための映画やＣＭ、アニメなどの映像を云う。また、「背景映像」とは、カラオケ演奏時に使用するカラオケ楽曲に対応した映像を云う。
【００２２】
また、ＨＤＤ１６は、図４（ａ）に例示するようなコンテンツメニューを記憶する。このコンテンツメニューでは、映像コンテンツをその再生時間が長い順に並べられている。
一方、制御部１２は、図１に示すように、ユーザ側から通知された演奏楽曲に対応する楽曲データをＨＤＤ１６から読み出してカラオケ演奏をする際に、楽曲データ中の少なくとも歌詞データをリモコン端末２へ無線アクセスポイント１１０を介して送信させる機能を有する。また、制御部１２は、歌詞データで示される歌詞を文字データに基づいて表示部３６に表示させる機能を有する。また、制御部１２はタイマを内蔵している。
【００２３】
また、制御部１２は、利用者が操作部１８を介して入力した利用者の人数、および利用者が操作部１８を介して選択したカラオケ演奏曲のうち最も多く選択されたジャンルを、利用者の人数および利用者の好みのジャンルを示す利用者情報として取得してＨＤＤ１６などに記憶させる機能を有する。
【００２４】
なお、制御部１２は曲間長算出手段および利用者情報取得手段に該当する。また、制御部１２は、操作部１８ともに予約受付手段および選択受付手段に該当する。また、制御部１２は、映像制御部３８ともに提示制御手段および映像コンテンツ再生手段に該当する。また、ＨＤＤ１６は演奏曲記憶手段および映像コンテンツ記憶手段に該当する。また、音声制御部２４はカラオケ演奏手段に該当する。また、表示部３６は提示手段に該当する。
【００２５】
［リモコン端末２の構成の説明］
リモコン端末２は、図１に示すように、リモコン端末２全体の動作を制御する制御部５２、カラオケ装置１に赤外線信号を赤外線通信規格（ＩｒＤＡ）に従って送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク１００に接続された無線アクセスポイント１１０との間で無線ＬＡＮ通信を行うための無線ＬＡＮ通信部６８、ＵＳＢ制御部７０などを備えている。
【００２６】
［その他の構成の説明］
また、上述のネットワーク１００には、無線アクセスポイント１１０とともに、リモコン端末２を載置可能なクレードル１２０が接続されている。このクレードル１２０は、載置されたリモコン端末２のＵＳＢ制御部７０と通信可能なＵＳＢ／ＬＡＮ変換機１２５を内蔵しており、このクレードル１２０に載置されたリモコン端末２は、ネットワーク１００を介してカラオケ装置１との間でデータ通信を行うことができる。
【００２７】
［カラオケ選曲・演奏処理の説明］
以下に、カラオケ装置１の制御部１２が実行するカラオケ選曲・演奏処理の処理手順を図２のフローチャート、図３（ｂ）および図４に基づいて説明する。なお、図４（ａ）はコンテンツメニュー（１）であり、図４（ｂ）はコンテンツメニュー（２）であり、図４
（ｃ）はコンテンツメニュー（３）である。
【００２８】
このカラオケ選曲・演奏処理は、カラオケ装置１が起動している間に繰り返し実行される。
まず、カラオケ装置１の電源がオンであるか否かを判断する（Ｓ１００）。カラオケ装置１の電源がオンではないと判断された場合には（Ｓ１００：ＮＯ）、カラオケ装置１の電源がオンであると判断されるまで待機し、カラオケ装置１の電源がオンであると判断された場合には（Ｓ１００：ＹＥＳ）、タイマの初期化を行う（Ｓ１０２）。
【００２９】
続いて、選曲が終了したか否かを判断する（Ｓ１０４）。選曲が終了していないと判断された場合には（Ｓ１０４：ＮＯ）、選曲が終了していると判断されるまで待機し、選曲が終了していると判断された場合には（Ｓ１０４：ＹＥＳ）、タイマ値を制御部１２が内蔵する図示しないＲＡＭへ格納する（Ｓ１０６）。
【００３０】
次に、カラオケ演奏を開始する（Ｓ１０８）。具体的には、利用者によって選曲された曲に対応する曲データをＨＤＤ１６から読み出して音声制御部２４へ転送する（Ｓ１１０）。また、再生する背景映像を選択してＨＤＤ１６から読み出し、その読み出した背景映像と歌詞テロップとを再生する（Ｓ１１２、Ｓ１１４）。なお、背景映像を選択する処理については後述する。上述の背景映像の再生および歌詞テロップの再生とともに、先にＨＤＤ１６から読み出して音声制御部２４へ転送した演奏データを音声制御部２４にて再生させる（Ｓ１１６）。
【００３１】
続いて、演奏データの再生が終了したか否かを判断する（Ｓ１１８）。演奏データの再生が終了していないと判断された場合には（Ｓ１１８：ＮＯ）、演奏データの再生が終了したと判断されるまで待機し、演奏データの再生が終了したと判断された場合には（Ｓ１１８：ＹＥＳ）、カラオケ装置１の電源がオフであるか否かを判断する（Ｓ１２０）。カラオケ装置１の電源がオフではなくオンであると判断された場合には（Ｓ１２０：ＮＯ）、Ｓ１０２に移行してＳ１０２以降の各ステップを繰り返し実行する。一方、カラオケ装置１の電源がオフであると判断された場合には（Ｓ１２０：ＹＥＳ）、本処理を終了する。
【００３２】
［推測値算出処理の説明］
以下に、カラオケ装置１の制御部１２が実行する推測値算出処理の処理手順を図３のフローチャートおよび図４に基づいて説明する。なお、図３（ｂ）は推測値算出処理を説明する説明図である。また、図４（ａ）はコンテンツメニュー（１）であり、図４（ｂ）はコンテンツメニュー（２）であり、図４（ｃ）はコンテンツメニュー（３）である。
【００３３】
この推測値算出処理は、カラオケ選曲・演奏処理におけるステップＳ１０４にて利用者による選曲が終了したと判断され、その後ステップＳ１０６にてタイマ値が制御部１２の内部のＲＡＭに格納された場合に実行される。
【００３４】
まず、先のカラオケ選曲・演奏処理にて制御部１２のＲＡＭに格納したタイマ値を読み出す（Ｓ２００）。
続いて、読み出したタイマ値の平均値を算出する。具体的には、読み出したタイマ値を加算し（Ｓ２０２）、加算したタイマ値の数量で加算した値を除算する（Ｓ２０４）。一例を挙げると、読み出したタイマ値が「３０分」、「２５分」、「４５分」、「１２分」である場合には、それら読み出したタイマ値を加算すると「１１２分」となる。次に、タイマ値の数量である数値「４」で、加算した値である数値「１１２」を除算する。すると、数値「２８」を得る。しがたって、タイマ値の平均値は「２８分」となる（図３（ｂ）参照）。さらに、算出した平均値を制御部１２のＲＡＭに格納するとともに、図４（ａ）
に例示するような映像コンテンツがその再生時間が長い順に並べられたコンテンツメニューに推測値に関する項目を挿入する（図４（ｂ）参照）。なお、上述の推測値からの差分の絶対値が小さい映像コンテンツから順に並べてもよい（図４（ｃ）参照）。そして、本処理を終了する。
【００３５】
［コンテンツ再生処理の説明］
以下に、カラオケ装置１の制御部１２が実行するコンテンツ再生処理の処理手順を図５のフローチャートに基づいて説明する。
【００３６】
このコンテンツ再生処理は、カラオケ選曲・演奏処理におけるステップＳ１１０にて利用者によって選曲された曲に対応する曲データをＨＤＤ１６から読み出した後に、再生する背景映像を選択するために実行される。
【００３７】
まず、次のリクエスト曲があるか否かを判断する（Ｓ３０２）。次のリクエスト曲がないと判断された場合には（Ｓ３０２）、コンテンツ再生が終了したか否かを判断する（Ｓ３０４）。コンテンツ再生が終了していないと判断された場合には（Ｓ３０４：ＮＯ）、Ｓ３０２に移行し、一方、コンテンツ再生が終了したと判断された場合には（Ｓ３０４：ＹＥＳ）、次のリクエスト曲が有料コンテンツであるか否かを判断する（Ｓ３０６）。次のリクエスト曲が有料コンテンツではないと判断された場合には（Ｓ３０６：ＮＯ）、そのまま本処理を終了する。
【００３８】
一方、次のリクエスト曲が有料コンテンツであると判断された場合には（Ｓ３０６：ＹＥＳ）、コンテンツ再生が終了したか否かを判断する（Ｓ３０８）。コンテンツ再生が終了していないと判断された場合には（Ｓ３０８：ＮＯ）、コンテンツ再生が終了したと判断されるまで待機し、コンテンツ再生が終了したと判断された場合には（Ｓ３０８：ＹＥＳ）、本処理を終了する。
【００３９】
［並べ替え処理の説明］
以下に、カラオケ装置１の制御部１２が実行する並べ替え処理の処理手順を図６のフローチャートおよび図７に基づいて説明する。なお、図７（ａ）はコンテンツメニュー（４）であり、図７（ｂ）はコンテンツメニュー（５）である。
【００４０】
この並べ替え処理は、カラオケ装置１が起動している間に繰り返し実行される。
まず、カラオケ演奏が終了したか否かを判断する（Ｓ４００）。カラオケ演奏が終了していないと判断された場合には（Ｓ４００：ＮＯ）、カラオケ演奏が終了したと判断されるまで待機し、カラオケ演奏が終了したと判断された場合には（Ｓ４００：ＹＥＳ）、カラオケボックスの利用者が複数人存在するか否かを判断する（Ｓ４０２）。
【００４１】
カラオケボックスの利用者が複数人存在しないと判断された場合には（Ｓ４０２：ＮＯ）、カラオケボックスの利用者が単数人として、特定の利用者の好みのジャンルのコンテンツをコンテンツメニューに入れる（Ｓ４０４）。この場合、上述の推測値からの差分の絶対値が小さい映像コンテンツから順に並べたコンテンツメニューを作成する（図７（ａ）参照）。そして、そのコンテンツメニューを表示部３６に表示させる（Ｓ４０８）。そして、本処理を終了する。
【００４２】
一方、カラオケボックスの利用者が複数人存在すると判断された場合には（Ｓ４０２：ＹＥＳ）、特定の利用者の好みのジャンルのコンテンツをメニューから削除する（Ｓ４０６）。この場合、上述の推測値からの差分の絶対値が小さい映像コンテンツから順に並べたコンテンツメニューを作成する（図７（ｂ）参照）。そして、そのコンテンツメニューを表示部３６に表示させる（Ｓ４０８）。そして、本処理を終了する。
【００４３】
［効果］
（１）このように第一実施形態のカラオケ装置１によれば、次のような効果を奏する。すなわち、制御部１２が、操作部１８が受け付けたカラオケ演奏曲の予約状況から曲間の長さを算出する。そして、制御部１２および映像制御部３８が、ＨＤＤ１６が記憶する映像コンテンツをその再生時間と曲間の長さとの差分の絶対値が少ない順に並べ替え、その並び替えた映像コンテンツの一覧を表示部３６に提示させる。さらに、操作部１８が、表示部３６によって提示された映像コンテンツの一覧から利用者によって選択された特定の映像コンテンツを利用者による選択結果として受け付け可能であり、制御部１２および映像制御部３８が、操作部１８が受け付けた選択結果に対応する映像コンテンツをＨＤＤ１６から読み出し、その読み出した映像コンテンツをカラオケ演奏が終了した際に再生する。このことにより、次のカラオケ演奏が始まるまでの曲間の長さに近い順に映像コンテンツを並べて提示することができ、次のカラオケ演奏が始まるまでの曲間に対して適切な再生時間の映像コンテンツを利用者に選択可能とすることができる。
【００４４】
（２）また、第一実施形態のカラオケ装置１によれば、再生中の映像コンテンツが有料コンテンツである場合には、次のカラオケ演奏曲の演奏開始が若干遅くなっても、その映像コンテンツの再生が終了後にカラオケ演奏に移行する。このことにより、次のカラオケ演奏曲の演奏開始が若干遅くなっても、課金を必要とするコンテンツサービスを途中で止めさせるような状況になることを防ぐことによって利用者の満足度を上げることができ、ひいては有料コンテンツの利用率を向上させることが期待できる。
【００４５】
（３）また、第一実施形態のカラオケ装置１によれば、再生中の映像コンテンツが無料コンテンツであると判断された場合には、映像コンテンツごとのジャンル情報を参照して、次の（Ａ）・（Ｂ）のような提示制御を行うことが考えられる。
【００４６】
（Ａ）利用者が単数のときには、歌唱中の利用者の好みのジャンルに属する映像コンテンツのみで映像コンテンツの一覧を作成して表示部３６に提示させる。このようにすれば、利用者の好みのジャンルの映像コンテンツのみを利用者に提示することで、その利用者の満足度を向上させることが期待できる。
【００４７】
（Ｂ）利用者が複数のときには、歌唱中の利用者の好みのジャンルに属する映像コンテンツを除いた映像コンテンツの一覧を作成して表示部３６に提示させる。このようにすれば、利用者の好みのジャンルの映像コンテンツを除外した映像コンテンツを複数の利用者に提示することで、他の利用者が好みのジャンルの映像コンテンツを選択しやすくすることができ、その他の利用者の満足度を向上させることが期待できる。
【００４８】
［他の実施形態］
以上、本発明の一実施形態について説明したが、本発明は上記実施形態に限定されるものではなく、以下のような様々な態様にて実施することが可能である。
【００４９】
（１）上記実施形態では、利用者もしくは利用者グループにおける曲間の長さの平均値を「曲間の長さ」としているが、これには限られず、利用者もしくは利用者グループにおける曲間の長さの最大値や最小値を「曲間の長さ」としてもよい。このようにしても上記実施形態と同様の作用効果を奏することができる。
【００５０】
（２）上記実施形態では、次のカラオケ演奏曲が予約されている場合において、カラオケ演奏が終了してから次のカラオケ演奏が始まるまでの間を曲間としているが、これには限られず、次のカラオケ演奏曲が予約されていない場合には、予め定められた所定時間を曲間の長さとしてもよい。このようにしても上記実施形態と同様の作用効果を奏することができる。
【００５１】
（３）上記実施形態では、操作部１８からの入力信号を利用者からの指示として処理しているが、これには限られず、携帯電話機などから受信機４２を介して入力された入力信号を利用者からの指示として処理してもよい。また、リモコン端末２の操作部６０からの入力信号を利用者からの指示として処理してもよい。
【００５２】
（４）上記第一実施形態では、制御部１２が、利用者が操作部１８を介して入力した利用者の人数、および利用者が操作部１８を介して選択したカラオケ演奏曲のうち最も多く選択されたジャンルを、利用者の人数および利用者の好みのジャンルを示す利用者情報として取得する機能を有するが、これには限られず、利用者が操作部１８を介して入力した利用者の人数、および利用者が操作部１８を介して入力した利用者自身の好みのジャンルを、利用者の人数および利用者の好みのジャンルを示す利用者情報として取得してＨＤＤ１６などに記憶させるようにしてもよい。このように構成しても上記実施形態と同様の作用効果を奏する。
【００５３】
（５）また、利用者がリモコン端末２の操作部６０を介して入力した利用者の人数、および利用者がリモコン端末２の操作部６０を介して入力した利用者自身の好みのジャンルを、利用者の人数および利用者の好みのジャンルを示す利用者情報としてリモコン端末２の制御部５２がカラオケ装置１へ送信し、その送信された利用者情報をカラオケ装置１の制御部１２がインタフェース部１４を介して取得してＨＤＤ１６などに記憶させるようにしてもよい。このように構成しても上記実施形態と同様の作用効果を奏する。
【００５４】
（６）また、カラオケ演奏曲数が少ない場合には、利用者の好みのジャンルが特定できない場合もある。そこで、上述の携帯電話１５０に利用者の好みのジャンルを登録しておき、カラオケボックスを利用する際に、携帯電話１５０がその利用者の好みのジャンルを示す情報をカラオケ装置１に対して送信し、その送信された利用者情報をカラオケ装置１の制御部１２がインタフェース部１４を介して取得してＨＤＤ１６などに記憶させるようにしてもよい。また、制御部１２が、携帯電話１５０から送信された利用者情報と、カラオケ装置１のＨＤＤ１６などに記憶させておいた利用者情報とを参照して、利用者の好みのジャンルを特定するようにしてもよい。
【００５５】
なお、上述のように携帯電話１５０に利用者の好みのジャンルを登録しておく手法としては、一例をして次のようなものが考えられる。
（６−１）利用者によるキー操作に基づき、携帯電話１５０が内蔵するＲＡＭに利用者の好みのジャンルを登録しておくことが考えられる。
【００５６】
（６−２）また、カラオケ装置１の制御部１２が、利用者のカラオケ演奏履歴をインターネット網などの通信網を介して携帯電話１５０に送信し、携帯電話１５０ではその利用者のカラオケ演奏履歴を内部のＲＡＭなどに登録しておくことが考えられる。
【００５７】
（６−３）また、カラオケ装置１の制御部１２が、利用者のカラオケ演奏履歴をＱＲコード（商標）化して表示部３６などに表示し、その表示されたＱＲコード（商標）を携帯電話１５０がカメラを介して取得して内部のＲＡＭなどに記憶することが考えられる。
【００５８】
このようにすれば、カラオケ演奏曲数が少なく、利用者の好みのジャンルが特定しにくい場合であっても、より正確に利用者の好みのジャンルを特定することができる。
【図面の簡単な説明】
【００５９】
【図１】カラオケシステムの全体構成を示すブロック図である。
【図２】カラオケ装置の制御部が実行するカラオケ選曲・演奏処理を示すフローチャートである。
【図３】（ａ）はカラオケ装置の制御部が実行する推測値算出処理を示すフローチャートであり、（ｂ）は推測値算出処理を説明する説明図である。
【図４】（ａ）はコンテンツメニュー（１）であり、（ｂ）はコンテンツメニュー（２）であり、（ｃ）はコンテンツメニュー（３）である。
【図５】カラオケ装置の制御部が実行するコンテンツ再生処理を示すフローチャートである。
【図６】カラオケ装置の制御部が実行する並べ替え処理を示すフローチャートである。
【図７】（ａ）はコンテンツメニュー（４）であり、（ｂ）はコンテンツメニュー（５）である。
【図８】（ａ）は楽曲データのデータ構造を示す説明図であり、（ｂ）はコンテンツデータのデータ構造を示す説明図である。
【符号の説明】
【００６０】
１…カラオケ装置、２…リモコン端末、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…表示部、３８…映像制御部、４０…ＵＳＢ、４２…受信機、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、７０…ＵＳＢ制御部、１２０…クレードル、１２５…ＵＳＢ／ＬＡＮ変換機、１５０…携帯電話機